(57)【要約】【課題】記憶媒体の大容量化に伴い、記憶媒体に記憶される画像データは膨大な数になり得るが、含まれる多くの画像データの中から、思い出に残っているシーンの画像データのみを検索するには、検索作業に費やす時間が増加して操作が煩雑になってしまう。【解決手段】入射した光を電気信号に変換する撮像素子１３の出力をデジタル値に変換して画像データを得る撮像装置において、前記画像データに含まれる特徴点情報を抽出する特徴点情報処理部１７と、前記特徴点情報を分類する分類項目と、前記分類項目に応じた分類条件を入力する操作キースイッチ３１と、前記画像データを前記分類条件に従って分類するＣＰＵ２１と前記分類された画像データを表示する液晶モニタ３０とを備えた。【選択図】図１
2007288409.tif 000002
【特許請求の範囲】
【請求項１】
入射した光を電気信号に変換する撮像素子の出力をデジタル値に変換して画像データを得る撮像装置において、
前記画像データを記憶媒体に記憶する記憶手段と、
前記画像データに含まれる特徴点情報を抽出する特徴点情報抽出手段と、
前記特徴点情報を分類する分類項目を入力する分類項目入力手段と、
前記分類項目に応じた分類条件を入力する分類条件入力手段と、
前記記憶媒体に記憶された前記画像データを前記分類条件に従って分類する画像データ分類手段と、
前記分類された画像データを前記記憶媒体から読み出す読出手段と、
前記読み出された画像データを表示する表示手段と、
を備えた撮像装置。
【請求項２】
前記画像データを撮影する時の撮影条件を抽出する撮影条件抽出手段をさらに備え、
前記記憶手段は、前記撮影条件と前記特徴点情報とを前記画像データに付随させて前記記憶媒体に記憶し、
前記画像データ分類手段は、前記画像データを、前記画像データに付随する前記撮影条件及び／または前記特徴点情報に応じて分類する、
ことを特徴とする請求項１に記載の撮像装置。
【請求項３】
前記画像データ分類手段によって分類された画像データを印刷する印刷手段及び／または、
前記画像データ分類手段によって分類された画像データを外部に送信する送信手段、
をさらに備えた請求項１または２に記載の撮像装置。
【請求項４】
前記画像データ分類手段によって分類された画像データを記憶媒体に保存する保存手段、をさらに備えた請求項１から３に記載の撮像装置。
【請求項５】
前記画像データ分類手段によって分類された画像データと結び付けられたインデックスを記憶媒体に保存するインデックス保存手段、
をさらに備えた請求項１から４に記載の撮像装置。
【請求項６】
前記画像データ分類手段は、前記画像データ分類手段によって分類された画像データをさらに分類するため、繰り返し絞込みの分類を行う、
ことを特徴とする請求項１から５に記載の撮像装置。
【請求項７】
前記撮影条件とは、日付、時刻、露光時間、レンズのＦ値、ＩＳＯ感度、露光補正量、ストロボ発光量、レンズの焦点距離、ズーム倍率、画像サイズ、画像圧縮率、画像の天地方向、γ補正量、のうち、少なくとも一つを含む、
ことを特徴とする請求項１から６に記載の撮像装置。
【請求項８】
前記撮影条件とは、撮影時における場所、気温、湿度、音の大きさ、のうち、少なくとも一つを含む、
ことを特徴とする請求項１から７に記載の撮像装置。
【請求項９】
前記特徴点情報とは、前記画像データの全体、または前記画像データをいくつかに分割した領域毎の輝度分布及び／または色分布である、
ことを特徴とする請求項１から８に記載の撮像装置。
【請求項１０】
前記特徴点情報とは、前記画像データに含まれる人物を特定するための衣服の色及び／または模様の組合せ情報である、
ことを特徴とする請求項１から９に記載の撮像装置。
【請求項１１】
前記特徴点情報とは、前記画像データに含まれる人物の顔を特定するための顔の形状、及び／または座標位置を含む情報である、
ことを特徴とする請求項１から１０に記載の撮像装置。
【請求項１２】
コンピュータを、
前記画像データに付随する前記撮影条件及び／または前記特徴点情報に応じて前記画像データを分類する前記画像データ分類手段として、
機能させるためのプログラム。
【発明の詳細な説明】
【技術分野】
【０００１】
本発明は、光電変換素子を用いた撮像装置で得られた画像データの処理に関するものである。
【背景技術】
【０００２】
デジタルカメラなどの撮像装置で撮影した画像データは、撮像装置の内部記憶媒体または撮像装置に挿入された記憶媒体に保存される。近年その記憶媒体の容量は増大し、それに伴って記憶媒体内に保存されている画像データの数も膨大になっている。
【０００３】
従来、大容量の記憶媒体に格納されている膨大な数の画像データから、目的とする１枚の画像を見つけるには、パーソナルコンピュータ（以下、ＰＣ）で画像データを一覧表示させるか、あるいは、撮影した被写体の画像データを撮像装置に直接接続して印刷する機能を備えたプリンタ等の印刷装置で印刷するか、撮像装置本体に備えられた液晶モニタなどの表示デバイスに、画像を出力して操作部材によって画像を順に切り換えるなどして、使用者が対象となる画像を検索している。
【０００４】
また、撮像装置の内部記憶媒体または撮像装置に挿入された記憶媒体に保存した画像データと縮小画像データを用いて検索用インデックス画像データを生成し、この検索用インデックス画像データにより、画像データの検索を可能とする提案がなされている（特許文献１）。
【特許文献１】特開２０００−１７５１４７号公報
【発明の開示】
【発明が解決しようとする課題】
【０００５】
しかしながら、検索用画像データを生成することによって検索の容易性は向上するが、使用者が対象となる画像を選択するという行為に変わりはない。
【０００６】
使用者による画像データの選択が必要となる場合として、例えば複数人で旅行をした際に撮影された画像を配布もしくは印刷する場合が考えられる。複数人で旅行をした場合に撮影される画像には、風景とともに、旅行をした当人達だけが写っているもの、当人達と別の人物も写っているもの、当人達とは別の人物のみが写っているもの、あるいは、風景だけが写っているものと様々なシチュエーションのものが含まれることが考えられる。これらの画像が含まれる画像データの中から、思い出に残っているシーンの画像データのみを印刷したり、写っている人物ごとにフォルダに分けたり、携帯可能な記憶媒体に保存したり、あるいは転送したりする際に、使用者が表示デバイスに表示された画像を確認しながら対象となる画像データを検索する従来の方法では、画像データの総数が多い場合は、使用者が検索作業に費やす時間が増加して操作が煩雑になってしまう。
【０００７】
また、目的とする画像が撮影されてから長い時間が経過している場合は、さらに検索作業は困難となる。例えば上記の旅行の前後にも複数の旅行を行っている場合、目的の画像がどの旅行の際のどの場所で撮影したものであるか、時間の経過とともに記憶が曖昧となり、上記のような従来の方法による検索では、使用者が検索作業に費やす時間はさらに増加し、さらに操作が煩雑になってしまう。
【０００８】
本発明はこのような問題点に鑑みてなされたものであり、画像データを検索する際に、その画像データを撮影した際の撮影条件とその画像データから抽出された特徴点情報を用いることによって画像の分類を行い、目的とする画像の検索を簡便にする機能を有する撮像装置を提供することを主な目的とする。
【０００９】
また、この画像データの撮影条件と特徴点情報を用いることに基づいて、前記の分類処理を実行するためのＰＣ上で動作するプログラムを提供することを目的とする。
【課題を解決するための手段】
【００１０】
上記目的を達成するために、本発明の撮像装置は、入射した光を電気信号に変換する撮像素子の出力をデジタル値に変換して画像データを得る撮像装置において、画像データの特徴点情報を用いて、画像データを分類して表示することを特徴とする。
【００１１】
また、画像データの撮影条件と特徴点情報を分類項目に応じた分類条件との比較対象として、画像データに付随させて保存してもよい。画像データから抽出された特徴点情報に加えて、画像データを撮影した際の撮影条件をも加味して分類することで、より曖昧な記憶からでも目的とする画像の検索が可能になる。
【００１２】
また、本発明の撮像装置は、分類された画像データを印刷する印刷手段及び／または分類された画像データを外部に送信する送信手段を備えていてもよい。さらに、分類された画像データを記憶媒体に保存する保存手段を備えていてもよい。これらによって、分類された画像データを、そのまま印刷したり、外部に送信したり、記憶媒体に保存したりすることが可能になるので、使用者の手間を軽減することができる。
【００１３】
また、分類された画像データと結び付けられたインデックスとして、画像データの名前、または分類された画像データの記憶媒体内の論理的な位置、または分類された画像データの記憶媒体内の物理的な位置を保存してもよい。分類した画像データをインデックスで保持することにより、記憶媒体の容量を節約することができる。
【００１４】
また、分類された画像データをさらに細かく分類するため、繰り返し絞り込みの分類を行ってもよい。
【００１５】
また、本発明のプログラムは、コンピュータを、画像データに付随する撮影条件及び／または特徴点情報に応じて画像データを分類する画像データ分類手段として機能させるためのプログラムである。これによって、ＰＣを画像データ分類手段として使用することが可能になり、本発明の用途を大きく広げるものである。
【発明の効果】
【００１６】
本発明によれば、大容量の記憶媒体に保存されている膨大な数の画像データを、一枚一枚の画像データを表示デバイス等で表示せずとも、分類項目に従って自動的に分類することが可能となる。
【００１７】
さらに、大容量の記憶媒体に保存されている膨大な数の画像データを、一枚一枚の画像データを表示デバイス等で表示せずとも、目的の画像データに対する曖昧な印象に基づいて自動的に分類することが可能となる。
【００１８】
これらの作用により、大容量の記憶媒体に保存されている膨大な数の画像データから目的の画像データを検索する際に、使用者の操作が簡便になるだけでなく、処理が自動化されるために時間の短縮にもつながる。
【発明を実施するための最良の形態】
【００１９】
以下、図面を参照しながら、本発明の実施例について説明する。
【００２０】
（実施例１）
図１は本実施例の撮像装置であるデジタルカメラの構成を簡易に示したブロック図である。
【００２１】
１１は撮像素子１３に被写体像を結像するための撮像レンズであり、１２は絞りである。１３はＣＣＤ等の、入射した光を電気信号に変換する撮像素子である。１４はＡ／Ｄ変換器であり、撮像素子１３の出力信号をデジタル値に変換して画像データを得る。１５はＡ／Ｄ変換部１４から出力された画像データにγ補正等の処理を施す画像処理部である。１６は画像処理部１５から出力された画像データを圧縮する圧縮処理部である。１７は圧縮処理部１６より出力される画像データを参照し、画像の色分布の取得や顔認識処理を行って個人特定情報を取得するなど、画像データに含まれる特徴点情報を抽出する、特徴点情報処理部である。この特徴点情報処理部１７は画像処理部１５に含まれる構成であってもかまわない。１８は圧縮処理部１６で得られた画像データと特徴点情報処理部１７で得られた特徴点情報を一時的に保存するメモリである。特徴点情報については後述する。２４はメモリ１８内の特徴点情報と画像データが記憶される記憶媒体であり、撮像装置に固定されてあっても着脱可能であっても構わない。１９は撮像素子１３及びＡ／Ｄ変換器１４を駆動する駆動部である。２２は撮像素子１３に対する入射光量を調節する絞り羽根を制御して駆動する絞り制御部である。２３は撮像レンズ１１を駆動して焦点距離を調節するレンズ制御部である。３２は撮影開始を指示するレリーズスイッチである。２０はデジタルカメラ全体の動作制御を司る全体制御部である。全体制御部２０には、人工衛星を利用して地球上のどこにいるのかを正確に割り出す、ＧＰＳ（Ｇｌｏｂａｌ  Ｐｏｓｉｔｉｏｎｉｎｇ  Ｓｙｓｔｅｍ）２５、現在の日時を得るためのＲＴＣ（Ｒｅａｌ Ｔｉｍｅ  Ｃｌｏｃｋ）２６、現在の温度を得るための温度計２７、現在の湿度を得るための湿度計２８、周囲の音の大きさを得るためのマイク２９などが接続され、全体制御部２０内部にあるＣＰＵ（Ｃｅｎｔｒａｌ  Ｐｒｏｃｅｓｓｉｎｇ  Ｕｎｉｔ）２１で撮影条件の一部として読み出すことができる。また、全体制御部２０には、分類された画像データを抽出して表示する液晶モニタ３０や、分類条件を入力したり、分類を開始／停止を選択したりするための操作キースイッチ３１も接続されている。
【００２２】
全体制御部２０は、例えば、レリーズスイッチ３２の操作に応じた制御、焦点距離の調節や露光量の調節、及びメモリ１８や記憶媒体２４へのデータの書き込み制御及び読み出し制御を行う。この全体制御部２０内部にあるＣＰＵ２１が所定のプログラムを読み出して実行することで、本実施例における機能を実行する。
【００２３】
特徴点情報処理部１７は、顔検出機能を有している。また、画像データに含まれている指定領域の輝度分布または色分布（ヒストグラム）を取得する機能を有している。
【００２４】
本実施例におけるデジタルカメラのレリーズスイッチ３２が押されてから画像データが記憶されるまでのフローチャートを、図２を用いて説明する。
【００２５】
使用者がレリーズスイッチ３２を操作すると、全体制御部２０がこれを検知し撮影動作を開始する（ステップ１０１）。
【００２６】
撮像レンズ１１及び絞り１２を通過した被写体からの光束を受光した撮像素子１３の出力は、Ａ／Ｄ変換器１４でデジタル信号の画像データ（ＲＡＷ形式の画像データ）に変換される（ステップ１０２）。
【００２７】
画像処理部１５は、Ａ／Ｄ変換器１４の出力データに黒引き処理、ホワイトバランスゲイン値演算、アパーチャ補正、輝度γ補正等を施して輝度信号Ｙを作成し、同時に、色補間やマトリクス変換、色γ補正等を施して色信号Ｃを作成し、ＹＣ形式の信号を形成する（ステップ１０３）。
【００２８】
形成されたＹＣ形式の画像データは圧縮処理部１６に出力され、画像圧縮のフォーマットの一つであるＪＰＥＧ形式の画像データを生成し、メモリ１８に記憶する（ステップ１０４）。圧縮処理せずにＲＡＷ形式のままメモリ１８に記憶しておいてもかまわない。
【００２９】
また、ＹＣ形式の画像データを作成する間にＧＰＳ２５、ＲＴＣ２６、温度計２７、湿度計２８、マイク２９、全体制御部２０で制御する制御パラメータなどから撮影条件を取得し、メモリ１８に記憶する（ステップ１０５）。
【００３０】
また、ＹＣ形式の画像データは特徴点情報処理部１７で参照され、上述した顔検出機能や指定領域の輝度分布または色分布（ヒストグラム）を取得する機能によって、画像中の特徴点を取得し、メモリ１８に記憶する（ステップ１０６）。
【００３１】
メモリ１８に記憶した撮影条件と特徴点情報を、例えば、Ｅｘｉｆ（Ｅｘｃｈａｎｇｅａｂｌｅ  Ｉｍａｇｅ  Ｆｉｌｅ  Ｆｏｒｍａｔ）情報のような画像データのヘッダ情報として作成し（ステップ１０７）、ＪＰＥＧ形式等の画像データにこのヘッダ情報を付随させて記憶媒体２４に記憶させる（ステップ１０８）。
【００３２】
なお、上記の特徴点情報の取得は必ずしもステップ１０６で行う必要はない。画像データの分類を行う際の処理速度が十分に高速であれば、画像データに含まれる特徴点情報を抽出しながら画像分類を行うことは可能である。
【００３３】
また、上記のフローチャートではＹＣ形式の画像データから特徴点情報の抽出を行ったが、撮像素子１３の出力をデジタル化しただけのＲＡＷ形式の画像データに対しても適用できることは上述した通りである。
【００３４】
次に、上述の手段によって記憶媒体２４に記憶された画像データが分類されるまでのフローチャートを、図３を用いて説明する。
【００３５】
使用者が液晶モニタ３０に表示されるガイダンスを見ながら操作キースイッチ３１を操作して、分類を実行するモードに入る（ステップ２０１）。
【００３６】
次に、使用者が液晶モニタ３０に表示されるガイダンスを見ながら操作キースイッチ３１を操作して、どのような項目で分類を実行するかを選択し（ステップ２０２）、分類項目に応じた分類条件の入力を行う（ステップ２０３）と、画像データ分類のための画像データ検索動作を開始する（ステップ２０４）。図４は、液晶モニタ３０に表示するガイダンスの例である。
【００３７】
全画像の検索が終了していなければ（ステップ２０５）、順次画像データを読み出し（ステップ２０６）、入力された分類項目の分類条件に従って、画像データに付随する撮影条件、または特徴点情報を比較し（ステップ２０７）、分類条件に合致しているかどうかを自動的に判別する（ステップ２０８）。分類条件に合致していなければ次の画像データを読み出して同様の処理を行うため、ステップ２０５に戻る。分類条件に合致していれば、その画像データのインデックスを保存し、次のデータを読み出すため、ステップ２０５に戻る。画像データのインデックスについては後述する。
【００３８】
全画像の検索が終了すれば（ステップ２０５）、画像データのインデックスが空であるかどうかを判定し（ステップ２１０）、空であれば分類条件に合致する画像が無かった旨のメッセージを液晶モニタ３０に表示する（ステップ２１２）。空でなければ、画像データのインデックスを参照して、分類された画像データの一覧を液晶モニタ３０に表示する（ステップ２１１）。
【００３９】
上記の画像データのインデックスが空であった場合、分類項目の選択からやり直す場合は（ステップ２１３）、ステップ２０２に戻る。絞込みの分類を行う場合も同様にステップ２０２に戻るが、ステップ２０５からステップ２０９で検索対象となる画像データは、既にインデックスに保存された画像データのみが対象となる。
【００４０】
ステップ２１３で実行しない場合は分類処理を終了する（ステップ２１４）。図５は、分類された画像データの一覧を表示した例である。その分類された画像データは、使用者が任意に選択し、印刷、外部への送信、記憶媒体に保存する、などの操作が行える。
【００４１】
次に、上述の画像データのインデックスについて、図６を用いて説明する。
【００４２】
一般的に記憶媒体２４に記憶されているデータは、ユニークな（唯一の）ファイル名を持ち、ファイル名に結び付けられた論理的な位置情報と、論理的な位置情報に結び付けられた物理的な位置情報をもとに管理されている。記憶媒体２４に記憶されている画像データも、記憶媒体２４に、ユニークなファイル名と論理的な位置情報、物理的な位置情報によって管理され、記憶されている。
【００４３】
図６のように画像フォルダの中に記憶されている画像データ（画像１から画像５）も、ユニークなファイル名、論理的な位置情報、物理的な位置情報によって管理されているため、そのうちの一つを知ることができれば、特定の一枚の画像データを読み出すことが可能である。インデックスは、ファイル名、論理的な位置情報、物理的な位置情報のいずれかを記憶したものであり、分類した画像データをインデックスで保持することにより、記憶媒体２４の容量を節約することができる。インデックスを記憶媒体２４ではなく、メモリ１８に記憶することも可能である。
【００４４】
インデックスを使用しない例として、図７のように分類した画像データを別フォルダにコピーして保存することもできる。この場合、記憶媒体２４の容量を圧迫してしまうが、画像データを配布することを目的とする場合、インデックスを参照しながら画像データを選択する必要が無く、使用者の操作を簡便にすることができる。
【００４５】
以上、画像データの撮影条件と特徴点情報の抽出と、画像データの撮影条件と特徴点情報を利用して画像データを分類する動作、分類したデータを保存する方法について説明した。また、上述した特徴点情報の抽出は、記憶媒体２４に既に保存されている画像データや、外部の電子機器から転送されてメモリ１８や記憶媒体２４に保存された画像データに対して行うことも可能である。
【００４６】
（実施例２）
本実施例では、ＪＰＥＧ形式もしくはＲＡＷ形式の画像データの特徴点情報を用いて、撮像装置もしくはＰＣ等の情報処理装置上で画像データを分類することを特徴とする。
【００４７】
例えば、まだ分類されていない画像データの特徴点情報を読み出し、これに基づいて使用者が作成した複数の任意のフォルダに割り振ったり、画像データを複製したりする。
【００４８】
特徴点情報として領域毎の色分布を用いて画像データを分類する方法を、図８と図９を用いて説明する。
【００４９】
図８のような画像データを検索したい場合、例えばこの画像データを撮影して長い時間が経過していれば、使用者が撮影時期や撮影場所を忘れてしまっている事がある。しかしその場合でも、画像データの「空が青く木々の緑が美しい画像」という印象だけが残っていれば、図９のように上下に領域を分割し、上が青、下が緑の画像データだけを分類できる。図９において、左上の「領域：上下」は画像を上下に分割することを示しており、左の９つに分割された領域に色名が記載されたパレットから、右の「上」及び「下」に該当する色を選択する。
【００５０】
しかし、この例に挙げた図８の画像データを、領域ごとの厳密な色分布をもとに分類すると、分類条件に合致しない場合がある。図８の画像データであれば、例えば太陽の光によって色データが飽和して上部の色は白が一番多いかもしれないし、下部は緑よりも土や木の色である茶色が一番多いかもしれない。そこで、領域内の色分布は、上位２位または３位までの色を特徴点情報として持っておく。
【００５１】
また、分類条件として選択する色相には、一定の幅を持たせることにより、印象に近い色を的確に指定できる。
【００５２】
また、領域の分割は、上下、上下と中心、左右、左右と中心、４分割、４分割と中心程度とすることで、複雑な領域分割をしなくとも曖昧な印象を分類条件に的確に指定できる。デジタルカメラなどの撮像装置で画像を撮影する際、中心付近に撮影対象物を置く構図とする場合が多いため、中心の色分布を別に取得することで、印象に近い分類条件を指定することができる。例えば、領域の分割を４分割と中心とした場合、図１０のような画像データは上下左右の周囲が黒で中心が白、という分類条件を指定すればよい。
【００５３】
図１１は特徴点情報として色分布を取得する領域を示す。領域１から領域５までの、領域毎の上位２位または３位までの色を特徴点情報として抽出することで、例えば上部の色の数は領域１と領域２の加算、左部の色の数は領域1と領域３の加算とすることで、全ての分割した領域の色分布を得ることができる。
【００５４】
以上、色分布を特徴点情報とし、分類条件として利用して、画像データを分類する方法について説明した。
【００５５】
（実施例３）
本実施例では、ＪＰＥＧ形式もしくはＲＡＷ形式の画像データの撮影条件と特徴点情報を用いて、分類項目と分類条件とを、使用者がわかりやすく簡便に指定できることを特徴とする。
【００５６】
デジタルカメラなどの撮像装置使用者にとって、露光時間、レンズのＦ値、ＩＳＯ感度、露光補正量、ストロボ発光量、レンズの焦点距離、画像圧縮率、γ補正量などの意味や、画像データの品質に与える影響と関連がわからない場合がある。また、検索したい画像データを撮影して長い時間が経過していれば、使用者が撮影時の撮影条件を忘れていることも考えられる。そのため、分類するための分類項目と分類条件は、記憶している印象を表現しやすいものがよい。
【００５７】
図１２は、撮影条件、特徴点情報と、実際に分類項目として指定する項目との関係を示した図である。縦の項目が撮影条件及び特徴点情報であり、横の項目が分類項目である。例えば、分類項目（体感温度）は、撮影条件の日付、時刻、気温、湿度、そして必要であれば位置情報をもとに決定する。検索したい画像を撮影した時は、寒かった、という印象さえあれば、寒いと感じる、例えば気温が１０℃以下の画像データを検索する。暖かいという印象があれば、日付と気温、湿度を参照し、晩秋から春先にかけての平年の平均気温より高い気温の画像データを検索する。初夏から初秋には、心理的に暖かいという印象は持ちにくいため、検索対象から外すことができる。
【００５８】
図１３は、図１２をもとに、使用者が分類項目と分類条件を表現しやすくした場合の、分類項目と分類条件のメニュー構成例を樹状図で示した。
【００５９】
以上、使用者が検索したい画像データへの印象を分類項目と分類条件として指定することで、複数の関連する撮影条件と特徴点情報とを使用して、画像データを分類する方法について説明した。
【００６０】
以上本発明者によってなされた発明を実施例に基づき説明をしたが、本発明は上記実施例に限定されるものではなく、その要旨を逸脱しない範囲で種々の変形が可能である。
【００６１】
なお、上記実施例において、本発明の記憶手段、比較情報記憶手段は、記憶媒体２４に相当する。また、本発明の特徴点情報抽出手段は、特徴点情報処理部１７に相当する。また、本発明の分類項目入力手段と分類条件入力手段は、操作キースイッチ３１に相当する。また、本発明の画像データ分類手段、読出手段、保存手段、インデックス保存手段は、全体制御部２０内部にあるＣＰＵ２１が所定のプログラムを読み出して実行することで実現している。また、本発明の表示手段は、液晶モニタ３０に相当する。また、本発明の撮影条件抽出手段は、特徴点情報処理部１７で特徴点情報抽出と同時に行われる。
【００６２】
さらに、本発明の撮像装置は、画像データ分類手段によって分類された画像データを印刷する印刷手段及び／または画像データ分類手段によって分類された画像データを外部に送信する送信手段とをさらに備えていてもよい。
【産業上の利用可能性】
【００６３】
本発明によれば、大容量の記憶媒体に保存されている膨大な数の画像データを、一枚一枚の画像データを表示デバイス等で表示せずとも、分類項目に従って自動的に分類することが可能となるので、デジタルカメラ、静止画撮影機能付きビデオカメラ、静止画撮影機能付き携帯電話のような静止画撮影機能を有する機器及びＰＣなどで実現される画像検索プログラムとして有用である。
【図面の簡単な説明】
【００６４】
【図１】撮像装置の構成を示すブロック図
【図２】撮像装置におけるレリーズスイッチが押されてから画像データが記憶されるまでのフローチャート
【図３】分類実行モードを選択し、分類を終了するまでのフローチャート
【図４】分類項目を指定するガイダンスを示す図
【図５】分類された画像データの一覧を表示した例を示す図
【図６】画像データとインデックスとの関係を示す図
【図７】画像データと分類された画像データの関係を示す図
【図８】検索する対象となる画像データの例を示す図
【図９】検索する対象となる画像データを分類する条件を入力する画面の例を示す図
【図１０】検索する対象となる画像データの例を示す図
【図１１】色分布を抽出する領域を示す図
【図１２】抽象化された分類項目と撮影条件、特徴点情報との関係を示す図
【図１３】分類項目の構成例を示す図
【符号の説明】
【００６５】
１１    撮像レンズ
１２    絞り
１３    撮像素子
１４    Ａ／Ｄ変換器
１５    画像処理部
１６    圧縮処理部
１７    特徴点情報処理部
１８    メモリ
１９    駆動部
２０    全体制御部
２１    ＣＰＵ
２２    絞り制御部
２３    レンズ制御部
２４    記憶媒体
２５    ＧＰＳ
２６    ＲＴＣ
２７    温度計
２８    湿度計
２９    マイク
３０    液晶モニタ
３１    操作キースイッチ
３２    レリーズスイッチ
【図１】
2007288409.tif 000003
【図２】
2007288409.tif 000004
【図３】
2007288409.tif 000005
【図４】
2007288409.tif 000006
【図５】
2007288409.tif 000007
【図６】
2007288409.tif 000008
【図７】
2007288409.tif 000009
【図８】
2007288409.tif 000010
【図９】
2007288409.tif 000011
【図１０】
2007288409.tif 000012
【図１１】
2007288409.tif 000013
【図１２】
2007288409.tif 000014
【図１３】
2007288409.tif 000015